(57)【要約】  ペダル作用力に関するペダリングの矯正を補助することができるペダリング矯正補助装置、ペダリング矯正補助方法、コンピュータにペダリングの矯正を補助させるプログラム、及び、そのプログラムを記録した媒体を提供する。  ペダル作用力の回転方向成分の大きさを検出する回転方向成分検出センサ３及びペダル作用力の放射方向成分の大きさを検出する放射方向成分検出４を有し、センサ３、４に接続されたサイクルコンピュータ１は、これらセンサ３、４から送信された検出信号及びペダル作用力の大きさについて予め設定されている参考データに基づいて、参考データとペダル作用力の実測値との関係を報知する。
2012056510.tif 000002
【特許請求の範囲】
【請求項１】
車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得する実測値取得手段と、
前記実測値と同一種類の予め設定されている参考データと、前記実測値とを比較する比較手段と、
前記比較手段による比較結果に基づいて、前記参考データと前記実測値との関係を報知実行手段に報知させる報知制御手段と、を有することを特徴とするペダリング矯正補助装置。
【請求項２】
前記クランクの回転角度を検出するクランク回転角度検出手段を有し、
前記参考データは前記クランクの回転角度に対応付けられて設定されており、
前記実測値取得手段は、前記クランクの回転角度に対応付けて前記実測値を取得し、
前記比較手段は、前記クランクの回転角度に関連付けて前記参考データと前記実測値とを比較し、
前記報知制御手段は、前記クランクの回転角度に対応付けて前記参考データと前記実測値との関係を前記報知実行手段に報知させることを特徴とする請求項１に記載のペダリング矯正補助装置。
【請求項３】
前記比較手段は、前記参考データと前記実測値との差分を算出し、
前記報知制御手段は、前記差分が所定の基準値以上である場合に、前記参考データと前記実測値との関係を前記報知実行手段に報知させることを特徴とする請求項１又は２に記載のペダリング矯正補助装置。
【請求項４】
前記実測値取得手段は、前記ペダル作用力を表すベクトルを実測値として取得し、
前記実測値に係るベクトルと、前記参考データに係るベクトルとの差分である差分ベクトルを算出する差分ベクトル算出手段と、前記差分ベクトルを合成する差分ベクトル合成手段と、を有し、
前記報知制御手段は、前記差分ベクトル合成手段によって合成された合成差分ベクトルを前記報知実行手段に報知させることを特徴とする請求項１乃至３のいずれか１つに記載のペダリング矯正補助装置。
【請求項５】
前記報知制御手段は、前記クランクの回転角度の所定の範囲における前記参考データと前記実測値との関係を前記報知実行手段に報知させることを特徴とする請求項１乃至４のいずれか１つに記載のペダリング矯正補助装置。
【請求項６】
前記差分ベクトル算出手段は、前記クランクの回転角度に対応付けて前記差分ベクトルを算出し、
前記差分ベクトル合成手段は、前記クランクの回転角度の所定の範囲における前記差分ベクトルを合成し、
前記報知制御手段は、前記クランクの回転角度の所定の範囲における前記合成差分ベクトルを前記報知実行手段に報知させることを特徴とする請求項４又は５に記載のペダリング矯正補助装置。
【請求項７】
前記報知実行手段は、表示装置を含み、
前記報知制御手段は、前記表示装置に、
前記ペダルの回転軌道を円周で表示させ、
前記クランクの回転角度の所定の範囲を、前記円周と前記円周の中心から前記円周上の点を結ぶ２本の直線とで囲まれた部分で表示させ、
前記囲まれた部分に、当該囲まれた部分に対応する前記クランクの回転角度の所定の範囲に係る前記合成差分ベクトルを表す画像を表示させることを特徴とする請求項５に記載のペダリング矯正補助装置。
【請求項８】
車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得し、
前記実測値と同一種類の予め設定されている参考データと、前記実測値とを比較し、
前記比較手段による比較結果に基づいて、前記参考データと前記実測値との関係を報知実行手段に報知させることを特徴とするペダリング矯正補助方法。
【請求項９】
コンピュータに、
車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得する実測値取得機能と、
前記実測値と同一種類の予め設定されている参考データと、前記実測値とを比較する比較機能と、
前記比較手段による比較結果に基づいて、前記参考データと前記実測値との関係を報知実行手段に報知させる報知制御機能と、を実現させるためのプログラム。
【請求項１０】
コンピュータに、
車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得する実測値取得機能と、
前記実測値と同一種類の予め設定されている参考データと、前記実測値とを比較する比較機能と、
前記比較手段による比較結果に基づいて、前記参考データと前記実測値との関係を報知実行手段に報知させる報知制御機能と、を実現させるためのプログラムを記録した媒体。
【発明の詳細な説明】
【技術分野】
【０００１】
本発明は、自転車等のペダルを漕ぐ乗り物のペダルの漕ぎ方であるペダリング状態を検出するペダリング矯正補助装置、ペダリング矯正補助方法、コンピュータにペダリングの矯正を補助させるプログラム、及び、そのプログラムが記録された媒体に関する。
【背景技術】
【０００２】
従来、自転車に装着され、自転車の走行に関する情報や運転者の運動に関する情報等を算出し、報知する装置がある。この装置は、自転車に設けられた各センサからデータを受信することによって、所定の情報を算出する。具体例として、例えば、ペダルに設けられた圧力センサが検出する圧力値に基づいて、運転者によるペダル踏力等のペダルに作用する力（以下、「ペダル作用力」という）を担う圧力値の経時変化や運転者の運動量等を算出して報知（表示）する走行状態検出装置がある（例えば、特許文献１参照）。また、仕事率に基づいて最適ペダリング頻度を演算して、表示する自転車用メータがある（例えば、特許文献２参照）。
【先行技術文献】
【特許文献】
【０００３】
【特許文献１】特開平７−９６８７７号公報
【特許文献２】特開平１０−３５５６７号公報
【発明の概要】
【発明が解決しようとする課題】
【０００４】
ところで、自転車を効率的に走行させるために、運転者自身のペダリング（特に、クランクを回転させる際のペダルへの荷重のかけ方）を矯正したいという要望がある。特許文献１に記載の走行状態検出装置は、ペダル作用力に基づく圧力値の変化が時系列で表示するため、これを用いて自身のペダリングを知るための一つの指標を提示することができる。しかしながら、例えばペダルを踏み込む際に発生するペダル作用力とこのペダル作用力がかかる方向やタイミングとの関係等のペダル作用力に関するペダリングを矯正するための指標を提示することができない。また、特許文献２に記載の自転車用メータは、最適なクランク軸回転数等からなる最適ペダリング頻度を演算して表示するが、ペダル作用力に関するペダリングを矯正するための指標を提示することができない。【０００５】
本発明は、上述した事情に鑑みてなされたものであり、上述のような問題を解決することを課題の一例とするものであり、これらの課題を解決することができるペダリング矯正補助装置、ペダリング矯正補助方法、ペダリングの矯正を補助させるプログラム、及び、ペダリングの矯正を補助させるプログラムを記録した媒体を提供することを目的とする。
【課題を解決するための手段】
【０００６】
上記課題を解決するために、本発明に係るペダリング矯正補助装置は、車車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得する実測値取得手段と、前記実測値と同一種類の予め設定されている参考データと、前記実測値とを比較する比較手段と、前記比較手段による比較結果に基づいて、前記参考データと前記実測値との関係を報知実行手段に報知させる報知制御手段と、を有することを特徴とする。
また、上記課題を解決するために、本発明に係るペダリング矯正補助方法は、車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得し、前記実測値と同一種類の予め設定されている参考データと、前記実測値とを比較し、前記比較手段による比較結果に基づいて、前記参考データと前記実測値との関係を報知実行手段に報知させることを特徴とする。
また、上記課題を解決するために、本発明に係るプログラム及びプログラムを記録した媒体は、コンピュータに、車体に回転自在に連結されたクランクと、当該クランクに連結されたペダルとを具備し、前記ペダルに荷重がかかることによって前記クランクが回転する乗り物のペダリングの際に、前記ペダルに作用する力であるペダル作用力に関する実測値を取得する実測値取得機能と、前記実測値と同一種類の予め設定されている参考データと、前記実測値とを比較する比較機能と、前記比較手段による比較結果に基づいて、前記参考データと前記実測値との関係を報知実行手段に報知させる報知制御機能と、を実現させることを特徴とする。
【図面の簡単な説明】
【０００７】
【図１】（ａ）は、ペダリング矯正補助装置が取り付けられた自転車の側面図、（ｂ）はペダリング矯正補助装置が取り付けられた自転車の正面図である。
【図２】図１のペダル作用力回転方向成分検出センサ及び放射方向成分検出センサの取り付け状況を表す図である。
【図３】（ａ）は回転方向歪みセンサユニットがクランクシャフトに貼り付けられている様子を表す図、（ｂ）は放射方向歪みセンサユニットがクランクシャフトに貼り付けられている様子を表す図である。
【図４】ペダリング矯正補助装置のサイクルコンピュータの斜視図である。
【図５】ペダリング矯正補助装置の電気的なブロック図である。
【図６】ペダリング矯正補助装置の制御的なブロック図である。
【図７】ペダリング矯正補助処理を示すフローチャートである。
【図８】計測ペダル作用力と参考ペダル作用力との比較及び改善案内の表示態様の一例である。
【発明を実施するための形態】
【０００８】
（実施の形態１）
以下、本発明の実施の形態について図面を参照しながら具体的に説明する。図１（ａ）は、本発明のペダリング状態検出装置１００が自転車Ｂに取り付けられている様子を表す側面図、図１（ｂ）はペダリング状態検出装置１００が自転車Ｂに取り付けられている様子を表す正面図である。自転車Ｂは、車体のフレームＢ１と、当該自転車Ｂの前後においてフレームＢ１で回転自在に軸支されることにより、フレームＢ１を移動自在に支持する二つの車輪Ｂ２（前輪Ｂ２１及び後輪Ｂ２２）と、自転車Ｂを推進させる運転者の踏力等の運転者による荷重を推進力として後輪Ｂ２２に伝える駆動機構Ｂ３と、運転者が操縦するためのハンドルＢ４と、運転者が着座するためのサドルＢ５とを有する。
【０００９】
駆動機構Ｂ３は、一端に回動軸（クランク軸）を有し、斯かる回動軸がフレームＢ１に対して回転自在に軸支されるクランクＢ３１、クランクＢ３１の他端において回転自在に軸支されると共に、運転者による荷重を受けるペダルＢ３２、及び、クランクＢ３１の上記一端にあるクランク軸を共通の回動軸としてクランクＢ３１と一体的に回動するように配されたスプロケット（図示せず）と後輪Ｂ２２の回動軸を共通の回動軸として後輪Ｂ２２と一体的に回転するように配されたリアスプロケット（図示せず）とに連結されることで、ペダルＢ３２に作用する運転者による荷重をクランクＢ３１を介して後輪Ｂ２２に伝達するチェーンＢ３３を具備する。
【００１０】
クランクＢ３１は、自転車Ｂの正面視左側に（右足側に）配置される左クランクシャフトＢ３１１と、正面視右側に（左足側に）配置される右クランクシャフトＢ３１２とを有し、これら左右クランクシャフトＢ３１１、Ｂ３１２は、上記クランク軸を対称点とする点対称となる位置で固着されている。また、ペダルＢ３２も、自転車Ｂの正面視左側に配置される左ペダルＢ３２１と、自転車Ｂの正面視右側に配置される右ペダルＢ３２２からなり、左ペダルＢ３２１は左クランクシャフトＢ３１１の先端部に取り付けられた左ペダル軸（図示せず）に回転自在に支持され、右ペダルＢ３２２は右クランクシャフトＢ３１２の先端部に取り付けられた右ペダル軸（図示せず）に回転自在に支持されている。
【００１１】
なお、左クランクシャフトＢ３１１と右クランクシャフトＢ３１２とは同一形状であり、左ペダルＢ３２１と右ペダルＢ３２２も同一形状であり、対応するクランクシャフトとペダルとの相関的な構造も同一である。
【００１２】
ペダリング矯正補助装置１００は、クランクＢ３１の回転角度を検出するクランク回転角度検出センサ２、ペダルＢ３２に作用する力（以下、「ペダル作用力」という）のクランクＢ３１の回転方向成分（以下、「ペダル作用力回転方向成分」という）の大きさを検出する回転方向成分検出センサ３、ペダル作用力のクランク軸を中心とする放射方向（又は、クランク長の長さ方向）成分（以下、「ペダル作用力放射方向成分」という）の大きさを検出する放射方向成分検出センサ４、及び、クランク回転角度センサ２、回転方向成分検出センサ３、並びに、放射方向成分検出センサ４から送信される信号に基づいて、ペダリングの改善に対する指針を報知するサイクルコンピュータ１を備える。
【００１３】
なお、クランク回転角度検出センサ２、回転方向成分検出センサ３、及び、放射方向成分検出センサ４は図示しない発信機を備えており、各センサ２〜４からサイクルコンピュータ１へ検出信号を送信することが可能となっている。つまり、サイクルコンピュータ１と各センサ２〜４とは無線で接続されている。
【００１４】
クランク回転角度検出センサ２は、例えばクランクギアの外周部近傍に狭装された、発光部と受光部とを有する光学式の回転検出センサからなり、発光部と受光部との間を通過するギアの歯の数をカウントし、このカウント値とギアの歯数との比を求めることで、回転角度を検出することができる。なお、回転角度検出センサ２としてはこれに限定されるものではなく、ポテンションメータ等の既存のセンサが利用可能である。このセンサ２からは、クランク回転角度に応じたクランク回転角度検出信号がサイクルコンピュータ１に送信される。
【００１５】
なお、本実施の形態においては、クランク回転角度は、左クランクシャフトＢ３１１を基準に表されるものとする。つまり、左クランクシャフトＢ３１１が１２時の方向に位置する（先端が上方を向く）ときに、クランク回転角度は「０°」である。また、クランク回転角度検出センサ２は、左クランクシャフトＢ３１１が３時の方向を指す（先端が前方を向く）とき、クランク回転角度「９０°」を示し、左クランクシャフトＢ３１１が９時の方向を指す（先端が後方を向く）とき、クランク回転角度「２７０°」を示す。そして、クランク回転角度検出センサ２が検出するクランク回転角度θの範囲は０°以上３６０°未満（０≦θ＜３６０°）となっており、左クランクシャフトＢ３１１が１２時の方向から時計回りで回転する向きを「＋」方向とする。
【００１６】
回転方向成分検出センサ３は、２つの歪みセンサからなるセンサのユニット３ａ（以下、「回転方向歪みセンサユニット３」という）、回転方向歪みセンサユニット３ａを構成する歪みセンサの各端子に接続された回転方向歪み検出回路３ｂ、及び、センサ３を包括的に制御する回転方向成分制御部３ｃを具備し（図５（ｂ）参照）、図１（ａ）及び図１（ｂ）に示すように、クランクシャフトＢ３１１、Ｂ３１２の正面（各クランクシャフトＢ３１１、Ｂ３１２が６時の方向を指すとき、進行方向を向く面）に回転方向成分検出センサ３が取り付けられている（左クランクシャフトＢ３１１に取り付けられている左回転方向成分検出センサ３１、右クランクシャフトＢ３１２に取り付けられている右回転方向成分検出センサ３２）。
【００１７】
図３（ａ）に示すように、各回転方向歪みセンサユニット３ａを構成する歪みセンサは、各クランクシャフトＢ３１１、Ｂ３１２の正面において互いに直交した状態で接着されている。回転方向歪み検出回路３ｂは、各歪みセンサの出力の増幅及び調整を行い、当該センサユニット３ａが検出した統一的な歪み量を表す情報（以下、「回転方向歪み情報」という）を制御部３ｃに送信する。各センサ３１、３２の回転方向成分制御部３ｃは、回転方向歪み検出回路３ｂが送信した回転方向歪み量情報に基づいて、次の式（１）より、クランク踏力回転方向成分の大きさＦｘを算出し、各ペダル作用力回転方向成分の大きさＦｘに応じた回転方向成分検出信号をサイクルコンピュータ１に送信する。
〔式（１）〕
Ｆｘ＝ｍｇ（Ｘ−Ｘｚ）／（Ｘｃ−Ｘｚ）
【００１８】
ここで、「ｍ」は質量を表し、「ｇ」は重力加速度を表し、「Ｘ」は回転方向歪み検出回路３ｂによって検出された歪み量、「Ｘｃ」はクランクシャフトＢ３１が水平状態に保持されているときにペダルＢ３２に垂直な力（ｍｇ（Ｎ））が作用した場合のクランクシャフトＢ３１の正面の歪み量、「Ｘｚ」はクランクシャフトＢ３１が無負荷状態である場合におけるクランクシャフトＢ３１の正面の歪み量を表す。なお、Ｘｃ、Ｘｚは、例えば、当該センサ３を使用する前にセンサユニット３ａをクランクシャフトＢ３１の正面に貼り付けて校正することによって取得される。
【００１９】
放射方向成分検出センサ４は、２つの歪みセンサからなるセンサのユニット４ａ（以下、「放射方向歪みセンサユニット４」という）、放射方向歪みセンサユニット４ａを構成する歪みセンサの各端子に接続された放射方向歪み検出回路４ｂ、及び、センサ４を包括的に制御する放射方向成分制御部４ｃを具備し（図５（ｂ）参照）、図１（ａ）及び図１（ｂ）に示すように、クランクシャフトＢ３１の外側面に放射方向成分検出センサ４が取り付けられている（左クランクシャフトＢ３１１に取り付けられている左放射方向成分検出センサ４１、右クランクシャフトＢ３１２に取り付けられている右放射方向成分検出センサ４２）。
【００２０】
図３（ｂ）に示すように、各放射方向歪みセンサユニット４ａを構成する歪みセンサは、各クランクシャフトＢ３１１、Ｂ３１２の外側面において互いに直交した状態で接着されている。放射方向歪み検出回路３ｂは、各歪みセンサの出力の増幅及び調整を行い、当該センサユニット４ａが検出した統一的な歪み量を表す情報（以下、「放射方向歪み情報」という）を制御部４ｃに送信する。各センサ４１、４２の放射方向成分制御部４ｃは、放射方向歪み検出回路４ｂが送信した放射方向歪み量情報に基づいて、次の式（２）より、クランク作用力放射方向成分の大きさＦｙを算出し、各ペダル作用力放射方向成分の大きさＦｙに応じた放射方向成分検出信号をサイクルコンピュータ１に送信する。
〔式（２）〕
Ｆｙ＝ｍｇ（Ｙ−Ｙｚ）／（Ｙｕ−Ｙｚ）
【００２１】
ここで、「ｍ」は質量を表し、「ｇ」は重力加速度を表し、「Ｙ」は放射方向歪み検出回路４ｂによって検出された歪み量、「Ｙｕ」はペダルＢ３２が下死点に位置するときにペダルＢ３２に垂直な力（ｍｇ（Ｎ））が作用した場合のクランクシャフトＢ３１の外側面の歪み量、「Ｙｚ」はクランクシャフトＢ３１が無負荷状態である場合におけるクランクシャフトＢ３１の外側面の歪み量を表す。なお、Ｙｕ、Ｙｚは、例えば、当該センサ４を使用する前にセンサユニット４ａをクランクシャフトＢ３１の外側面に貼り付けて校正することによって取得される。
【００２２】
次に、図４及び図５（ａ）を用いて、サイクルコンピュータ１の構成について説明する。図４はサイクルコンピュータ１の外観図であり、図５（ａ）はペダリング矯正補助装置１００の電気的なブロック構成図である。図４に示すように、サイクルコンピュータ１は、自転車ＢのハンドルＢ４に着脱可能である取付部材６を介して自転車Ｂに装着されている。サイクルコンピュータ１は、所定の情報を入力するための入力部１１、所定の情報を表示するための表示部１２、後述するペダリングに関わる所定の処理を実行する演算回路を具備する制御部１３（図５（ａ）参照）、及び、これら入力部１１、表示部１２並びに制御部１３を収容する筐体１４を有する。
【００２３】
入力部１１は、筐体１４の上面から突出した状態で並設された押圧操作可能な３つのボタン１１ａ、１１ｂ、１１ｃ、及び、スライド式のスイッチからなり、電力供給のＯＮ／ＯＦＦ切り換え操作を行うための電源スイッチ１１ｄを備えている。
【００２４】
また、図５（ａ）に示すように、入力部１１は、ボタン１１ａ〜１１ｃ及び電源スイッチ１１ｄの操作に伴う入力信号を制御部１３への制御情報として中継する入力制御回路１１ｅを備える。各ボタン１１ａ〜１１ｃが押圧操作されると、入力制御回路１１ｅは押圧操作に対応する制御情報に変換して制御部１３に送信する。これによって、運転者は、ボタン１１ａ〜１１ｃの限られた数のボタンであっても、これらのボタン操作の組み合わせによって、運転者や自転車に関する固有情報の入力や計測の開始／終了等、ボタンの数以上の複数の種類の入力操作が可能となる。
【００２５】
なお、本実施の形態では、所定の情報を入力するための構造として、押圧操作可能なボタン１１ａ〜１１ｃを採用しているが、これに限られず、十字キー、トラックボール及びジョイスティック等のポインティングデバイスを採用することも可能である。
【００２６】
表示部１２は、後述するペダル作用力の理想と現実との比較情報やペダリングの改善情報等を含む所定の情報を表示するための液晶パネル１２ａと、表示すべき情報に応じて当該液晶パネル１２ａの表示制御を行う表示制御回路１２ｅとを具備する。なお、液晶パネル１２ａをタッチパネルにして、入力部１１と表示部１２とを一体化することも可能である。
【００２７】
サイクルコンピュータ１の制御部１３は、ＣＰＵ１３ａ、ＲＯＭ１３ｂ、ＲＡＭ１３ｃ、記録媒体用Ｉ／Ｆ１３ｄ、センサ用Ｉ／Ｆ１３ｅ、通信用Ｉ／Ｆ１３ｆ、及び、発振回路１３ｇからなり、これら各構成部はバス１３ｈによって接続されている。
【００２８】
ＣＰＵ１３ａは、ＲＯＭ１３ｂに予め記憶されているプログラムに基づいて、目標となるペダル作用力（以下、「参考ペダル作用力」という）と実際に計測されたペダル作用力（以下、「計測ペダル作用力」という）との比較、及び、参考ペダル作用力と計測ペダル作用力から導出されるペダリングの改善案内の表示等を含むサイクルコンピュータとしての基本動作を制御する。ＲＯＭ１３ｂには、ＣＰＵ１３ａが実行するサイクルコンピュータとしての基本処理を実行するためのプログラムコードが予め記憶されている。ＲＡＭ１３ｃは、ＣＰＵ１３ａがサイクルコンピュータとしての基本処理を実行する際に行う演算処理において、データ等のワーキングエリアとして機能する。
【００２９】
記録媒体用Ｉ／Ｆ１３ｄは、参考ペダル作用力と計測ペダル作用力との比較結果等をメモリカード等の記録媒体に記録する際のインターフェースである。センサ用Ｉ／Ｆ１３ｅは、上述したクランク回転角度検出センサ２、回転方向成分検出センサ３、及び、放射方向成分検出センサ４から送信される各種検出信号を取り込んで、ＣＰＵ１３ａからの指示に基づいて出力する。通信用Ｉ／Ｆ１３ｆは、携帯電話等の移動端末や自宅等に設置されるＰＣといった外部装置（図示せず）との間で各種データを送受信する外部の処理機器との間でデータの送受信を行うためのインターフェースである。発振回路１３ｇは、クロック発振子としての水晶振動子を具備しており、発生するクロックを計数することにより所定周期でＣＰＵ１３ａにパルス信号を出力する。なお、上述した入力部１１、表示部１２、及び、制御部１３は、バス１３ｇを介して必要な情報データの送受信がされる構成である。
【００３０】
図６は、本発明の実施の形態に係るペダリング矯正補助装置１００の制御的な（又は、機能的な）構成を示すブロック図である。ペダリング矯正補助装置１００は、固有情報取得部Ｓ１、参考情報取得部Ｓ２、走行状況情報取得部Ｓ３、差分算出部Ｓ４、表示判定部Ｓ５、差分ベクトル算出部Ｓ６、差分ベクトル合成部Ｓ７、図面作成部Ｓ８及び情報表示部Ｓ９を有する。なお、走行状況情報取得部Ｓ３は、クランク回転角度情報取得部Ｓ３１、及び、ペダル作用力回転方向成分情報取得部Ｓ３２及びペダル作用力放射方向成分情報取得部Ｓ３３からなる。
【００３１】
固有情報取得部Ｓ１は、自転車Ｂの種類（型番）・所定部品の寸法や運転者の体型・年齢、ユーザＩＤ等の自転車Ｂ及び運転者に固有な情報（以下、「固有情報」という）を取得する機能を有する。固有情報取得部Ｓ１は、例えば、入力部１１、及び、入力部１１のボタン１１ａ〜１１ｃの操作に応じて入力項目を表示部１２に表示させると共に、ボタン１１ａ〜１１ｃの操作に応じて入力制御回路１１ｅから出力された制御情報に基づくデータを保存する制御部１３によって構成される。
【００３２】
参考情報取得部Ｓ２は、制御部１３で構成され、参考情報を取得する機能を有し、参考情報を示す参考データをＲＯＭ１３ｂ等の予め参考データを記憶している参考情報記憶部からＲＡＭ１３ｃの参考データ記憶領域にロードする。参考情報とは、参考ペダル作用力のことであり、例えばプロアスリート等の上級者の自転車走行によって採取される。すなわち、参考ペダル作用力は、ベクトルで構成され、ペダル作用力の大きさＦｓとその方向βで表される。なお、参考データは、クランク回転角度θに対応付けられて格納されている。
【００３３】
走行状況情報取得部Ｓ３は、自転車Ｂのクランク回転角度等の走行中に変化し得る情報を取得する機能を有する。走行状況情報取得部Ｓ３は、クランク回転角度検出センサ２、回転方向成分出センサ３、放射方向成分検出センサ４、及び、これら各センサ２〜４から送信された信号に基づくデータを保存する制御部１３によって構成される。
【００３４】
また、走行状況情報取得部Ｓ３は、クランク回転角度取得部Ｓ３１、ペダル作用力回転方向成分情報取得部Ｓ３２、及び、ペダル作用力放射方向成分情報取得部Ｓ３３からなる。クランク回転角度取得部Ｓ３１は、クランク回転角度検出センサ２及び制御部１３で構成され、クランク回転角度検出センサ２から出力された信号に基づいて、クランク回転角度に関する情報を取得する機能を有し、クランク回転角度を表すデータ（以下、「クランク回転角度データ」という）をＲＡＭ１３ｃの所定領域に記憶する。ペダル作用力回転方向成分情報取得部Ｓ３２は、回転方向成分検出センサ３及び制御部１３で構成され、回転方向成分検出センサ３から出力された信号に基づきペダル作用力回転方向成分データをＲＡＭ１３ｃの所定領域に記憶（取得）する機能を有する。ペダル作用力放射方向成分情報取得部Ｓ３３は、放射方向成分検出センサ４及び制御部１３で構成され、放射方向成分検出センサ４から出力された信号に基づきペダル作用力放射方向成分データをＲＡＭ１３ｃの所定領域に記憶（取得）する機能を有する。
【００３５】
差分算出部Ｓ４は、制御部１３で構成され、ペダル作用力回転方向成分情報取得部Ｓ３２によって取得されたペダル作用力回転方向成分データが示すペダル作用力回転方向成分の大きさと、ペダル作用力放射方向成分情報取得部Ｓ３３によって取得されたペダル作用力放射方向成分データが示すペダル作用力放射方向成分の大きさとから算出される計測ペダル作用力の大きさを算出すると共に、この算出された計測ペダル作用力の大きさと参考情報取得部Ｓ２によって取得された参考情報が示す参考ペダル作用力の大きさとの差分の絶対値（以下、「ペダル作用力差分」という）を算出する機能を有し、算出値であるペダル作用力差分を示すペダル作用力データをＲＡＭ１３ｃのペダル作用力値差分記憶領域に記憶する。
【００３６】
表示判定部Ｓ５は、制御部１３で構成され、参考ペダル作用力及び計測ペダル作用力を表示するが否か、具体的には、差分算出部Ｓ４が算出したペダル作用力差分が予め設定された基準値以上であるか否かを判定する機能を有し、その判定結果を示す表示判定結果データをＲＡＭ１３ｃの表示判定結果データ記憶領域に記憶する。
【００３７】
差分ベクトル算出部Ｓ６は、制御部１３で構成され、参考情報取得部Ｓ２が取得した参考情報と、ペダル作用力回転方向成分情報取得部Ｓ３２が取得したペダル作用力回転方向成分に関する情報及びペダル作用力放射方向成分情報取得部Ｓ３３が取得したペダル作用力放射方向成分に関する情報に基づいて、計測ペダル作用力から参考ペダル踏力を引いた差分ベクトルを算出する機能を有しており、その算出結果を示す差分ベクトルデータをＲＡＭ１３ｃの差分ベクトル記憶領域に記憶する。なお、差分ベクトルデータは、差分ベクトルの大きさＦｃと、その方向γとで構成される。
【００３８】
差分ベクトル合成部Ｓ７は、制御部１３で構成され、差分ベクトル算出部Ｓ６が算出した差分ベクトルを合成する機能を有し、差分ベクトルが合成された合成差分ベクトルを示す合成差分ベクトルデータをＲＡＭ１３ｃの合成差分ベクトルデータ記憶領域に記憶する。なお、本実施の形態においては、クランクＢ３１の１回転は、３分割されて、パワーゾーン（３０°≦θ＜１８０°）と引き足ゾーン（１８０°≦θ＜３３０°）と蹴り出しゾーン（３３０°≦θ＜３０°）とに分けられており、それに伴って合成差分ベクトルデータ記憶領域も３分割されてパワーゾーン部と引き足ゾーン部と蹴り出しゾーン部とで構成されている。差分ベクトル合成部Ｓ７は、ゾーン毎に合成差分ベクトルを算出し、対応するゾーン部に記憶する。
【００３９】
図面作成部Ｓ８は、制御部１３で構成され、表示判定部Ｓ５によって表示すると判定された算出された両ペダル作用力、及び、差分ベクトル合成部Ｓ７によって算出されたゾーン毎の合成差分ベクトルを可視化により報知するために、これらを表す図面の元となる図面データを作成する機能を有する。具体的には、図面作成部Ｓ８は、図面データとして、クランクＢ３１の回転（ペダリング）を表す基準円のオブジェクト（以下、「基準円グラフオブジェクト」という）の元となる基準円オブジェクトデータ、各ゾーンの境界を表す仕切り線のオブジェクト（以下、「仕切り線オブジェクト」という）の元となる仕切り線オブジェクトデータ、参考ペダル作用力のオブジェクト（以下、「参考ペダル作用力オブジェクト」という）の元となる参考ペダル作用力オブジェクトデータ、計測ペダル作用力のオブジェクト（以下、「計測ペダル作用力オブジェクト」という）の元となる計測ペダル作用力オブジェクトデータ、及び、合成差分ベクトルのオブジェクト（以下、「合成差分ベクトルオブジェクト」という）の元となる合成差分ベクトルオブジェクトデータを作成し、ＲＡＭ１３ｃの所定領域に記憶する。さらに、図面作成部Ｓ８は、これらのオブジェクトをオーバーレイした比較・改善案内オブジェクトの元となる比較・改善案内オブジェクトデータを作成し、ＲＡＭ１３ｃからなる送信バッファにセットする。
【００４０】
情報表示部Ｓ９は、制御部１３及び表示部１２で構成され、図面作成部Ｓ８が作成した図面データに基づいて、表示部２に図面を表示させる機能を有する。
【００４１】
次に、図７を用いて、ペダリング矯正補助装置１００がペダル作用力の理想と現実の比較及びペダリングの改善案内を表示（報知）する処理・方法について説明する。なお、左クランクシャフトＢ３１１のペダル作用力の理想と現実の比較及びペダリングの改善案内を表示（報知）する処理・方法を表示する処理・方法と右クランクシャフトＢ３１２のペダル踏力の理想と現実の比較及びペダリングの改善案内を表示（報知）する処理・方法を表示する処理・方法とは、同様であるので、本実施の形態におけるペダリング矯正補助装置１００では、左クランクシャフトＢ３１１（右足）のペダル作用力の理想と現実の比較及びペダリングの改善案内を表示（報知）する処理・方法を代表として説明する。
【００４２】
電源スイッチ１１ｄの操作を介してサイクルコンピュータ１に電力が供給されると、ＣＰＵ１３ａにシステムリセットが発生し、ＣＰＵ１３はＲＯＭ１３ｂに記憶されているペダル踏力の理想と現実の比較及びペダリングの改善案内を表示（報知）するプログラムに基づいて、図７に示すペダル作用力の理想と現実の比較及びペダリングの改善案内の表示（報知）処理を開始する。
【００４３】
まず、ステップＳ１において、情報入力処理を行う。ここでは、運転者のボタン１１ａ〜１１ｃによって運転者及び自転車の固有情報の入力を促すためにコーションを表示すると共に、所望の固有情報が入力されるまで待機する。そして、入力部１１からの情報（ボタン１１ａの被操作を示す第１ボタン操作検出信号、ボタン１１ｂの被操作を示す第２ボタン操作検出信号、及び、ボタン１１ｃの被操作を示す第３ボタン操作検出信号）が入力されると、斯かる入力された情報に基づいて、各種固有情報を表す固有情報データをＲＡＭ１３ｂの固有情報データ記憶領域に記憶する。固有情報は、運転者の最大パワー、性別、身長・体重、自転車の種類、タイヤの大きさ・種類、クランク長等で構成されるものである。
【００４４】
ステップＳ２において、クランク回転角度θ、ペダル作用力回転方向成分の大きさＦｘ、及び、ペダル作用力放射方向成分の大きさＦｙの計測を開始するための条件（以下、「計測開始条件」という）が成立し、これらの計測を開始することができるか否かを判定する。例えば、入力制御回路１１ｅから計測開始を示す制御情報が送信されてくることが計測開始条件の成立となるようにしてもよい。ステップＳ２において、計測開始条件が成立していないと判定すると当ステップＳ１に処理を移し、計測開始条件が成立したと判定するとステップＳ３に処理を移す。
【００４５】
ステップＳ３において、ＲＯＭ１３ｂに格納されている参考データをＲＡＭ１３ｃの参考データ記憶領域に記憶する。本実施の形態では、参考データはテーブル（以下、「参考データテーブル」という）で構成されており、クランク回転角度と参考ペダル踏力（大きさ・方向）とが対応している。なお、参考データテーブルのクランク回転角度は０°から３５９°まで１°間隔で設定されている。
【００４６】
ステップＳ４において、各種検出センサ２〜４から送信される検出信号に基づいて、走行状況情報を表す走行状況データをＲＡＭ１３ｃの走行状況データ記憶領域に記憶する。本実施の形態において、走行状況情報は、クランク回転角度θ、ペダル作用力回転方向成分の大きさＦｘ、及び、ペダル作用力放射方向成分の大きさＦｙで構成される。なお、走行状況データ記憶領域は、クランク回転角度データを記憶するクランク回転角度部、ペダル作用力回転方向成分データを記憶するペダル作用力回転方向成分部、及び、ペダル作用力放射方向成分データを記憶するペダル作用力放射方向成分部で構成される。
【００４７】
なお、左クランクシャフトＢ３１１と右クランクシャフトＢ３１２の位相差が１８０°であるため、右クランクシャフトＢ３１２の回転角度は、クランク回転角度データが示すクランク回転角度データに１８０°を加算した値となる。また、ペダル作用力回転方向成分データ及びペダル作用力放射方向成分データはクランク回転角度データに対応付けて記憶する。
【００４８】
また、ステップＳ４の処理は、発振回路１３ｇから出力されるパルス信号に基づいて例えば１０ｍｓ毎に行われ、クランク回転角度データ、ペダル作用力回転方向成分データ及びペダル作用力放射方向成分データは逐次記憶される。
【００４９】
ステップＳ５において、ステップＳ４で検出されたペダル作用力回転方向成分及びペダル作用力放射方向成分に基づき計測ペダル作用力の大きさＦａ（以下、「計測ペダル作用力値」という）を算出し、ＲＡＭ１３ｃの所定領域に記憶すると共に、当該計測ペダル作用力値とステップＳ４で検出されたクランク回転角度θａに最も近い参考データテーブルのクランク回転角度θｂに対応する参考ペダル作用力の大きさＦｂ（以下、「参考ペダル作用力値」という）との差分を算出し、ＲＡＭ１３ｃの所定領域に記憶する。
【００５０】
ステップＳ６において、ステップＳ５で算出された差分に係る計測ペダル作用力及び参考ペダル作用力の表示を行うか否かを判定する。具体的には、ステップＳ５で算出されたペダル作用力値の差分が所定の基準値Ｋ以上であるか否かを判定する。基準値Ｋは、特に限定されないが、本実施の形態では３０（Ｎ）に設定されている。ステップＳ７において、ステップＳ６で表示する、すなわち、ペダル作用力値の差分が基準値Ｋ以上であると判定されると、ステップＳ８に処理を移し、ステップＳ６で表示しない、すなわち、ペダル作用力値の差分が基準値Ｋ未満であると判定されると、ステップＳ９に処理を移す。
【００５１】
ステップＳ８において、ベクトルである計測ペダル作用力から参考ペダル作用力を引いた差分ベクトルを算出し、差分ベクトルを示す差分ベクトルデータをＲＡＭ１３ｃの差分ベクトルデータ記憶領域に記憶する。なお、ステップＳ４で取得されたクランク回転角度データが表すクランク回転角度θａ、ペダル作用力回転方向成分データが表すペダル作用力回転方向成分の大きさＦｘ及びペダル作用力回転方向成分データが表すペダル作用力回転方向成分の大きさＦｙに基づいて、当該クランク回転角度θａにおける計測ペダル作用力の方向を算出することが可能である。また、ステップＳ３で取得された参考データテーブルのクランク回転角度の中で、クランク回転角度θａに最も近いクランク回転角度θｂに対応するペダル作用力値データが参考ペダル作用力の大きさとなり、そのクランク回転角度θｂに対応するペダル作用力方向データが参考ペダル作用力の方向となる。これらの各ペダル作用力の大きさ及び方向に基づいて差分ベクトルを算出する。
【００５２】
なお、当該差分ベクトルを記憶する際には、当該クランク回転角度θａに最も近いクランク回転角度θｂに対する差分ベクトルとして記憶する。差分ベクトル記憶領域はクランク回転角度θｂに対応付けられて３６０分割されており、上記のゾーンが関連付けられている。
【００５３】
ステップＳ９において、クランクＢ３１が１回転したか否かを判定する。ステップＳ３で取得したクランク回転角度データが示すクランク回転角度が新たに３６０°を超えたか否かを判定する。本ステップでクランク回転角度が所定値以上ではないと判定すると、ステップＳ４に処理を移し、クランク回転角度が所定値以上であると判定すると、ステップＳ１０に処理を移す。
【００５４】
ステップＳ１０において、ゾーン毎の差分ベクトルを合成し、差分ベクトルの大きさ及びその方向をＲＡＭ１３ｃの差分ベクトルデータ記憶領域に記憶する。差分ベクトルデータ記憶領域は、ゾーンの種類及び差分ベクトルの構成要素（大きさ・方向）に対応付けられて６分割されている。すなわち、差分ベクトルデータ記憶領域は、パワーゾーン用のパワーゾーン部、引き足ゾーン用の引き足ゾーン部及び蹴り出しゾーン用の蹴り出しゾーン部で構成され、各部は差分ベクトルの大きさを表す差分ベクトル大きさデータを記憶する差分大きさ部と差分ベクトルの方向を表す差分ベクトル方向データを記憶する差分方向部とで構成される。
【００５５】
ステップＳ１１において、ステップＳ７で表示すると判定された計測ペダル作用力並びに参考ペダル作用力、及び、各ゾーンの合成差分ベクトルを表示部１２に表示するために、表示部１２に表示する図面の元となるデータを作成する図面作成処理を行う。
【００５６】
具体的には、まず、左クランクシャフトＢ３１１に係る基準円オブジェクトデータを作成し、ＲＡＭ１３ｃの基準円オブジェクト領域に記憶し、パワーゾーン、引き足ゾーン及び蹴り出しゾーンを表現するための仕切り線オブジェクトデータを作成し、ＲＡＭ１３ｃの仕切り線オブジェクト領域に記憶する。図９に示すように、この仕切り線オブジェクトによって、基準円オブジェクトが周方向に３分割され、パワーゾーン、引き足ゾーン及び蹴り出しゾーンが表現される。これは、上述した様に、基準円オブジェクトには参考データのクランク回転角度θｂが対応付けられており、各ゾーンが設定されるクランク回転角度の範囲、すなわち、仕切り線オブジェクトが示すクランク回転角度は、例えば予めＲＯＭ１３ｂにテーブルとして記憶されている。
【００５７】
次に、ステップＳ７で表示すると判定された、計測ペダル作用力に係る計測ペダル作用力オブジェクトデータ及び参考ペダル作用力を表現する参考ペダル作用力オブジェクトデータを作成し、ＲＡＭ１３ｃの所定領域に記憶する。図９に示すように、両ペダル作用力オブジェクトは始点を共有し、始点は、基準円オブジェクトの円周上の参考ペダル作用力に対応付けられているクランク回転角度θｂの位置に配される。また、参考ペダル作用力オブジェクトと計測ペダル作用力オブジェクトとを区別できるように、参考ペダル作用力を表すベクトルの態様と計測ペダル作用力を表すベクトルの態様とは異なっている。具体的には、両ベクトルの間で、線幅及び矢印の形状が異なっている。本実施の形態では、参考ペダル作用力ベクトルの方が太い。
【００５８】
最後に、ゾーン毎に合成差分ベクトルオブジェクトデータを作成し、ＲＡＭ１３ｃの合成差分ベクトルオブジェクト記憶領域に記憶する。合成差分ベクトルオブジェクト記憶領域は、パワーゾーン用の合成差分ベクトルオブジェクトデータを記憶するパワーゾーン部、引き足ゾーン用の合成差分ベクトルオブジェクトデータを記憶する引き足ゾーン部及び蹴り出しゾーン用の合成差分ベクトルオブジェクトデータを記憶する蹴り出しゾーン部で構成されている。各ゾーン用の合成差分ベクトルオブジェクトは、対応するゾーンが表現される部分の中心辺りに配される。図９に示すように、合成差分ベクトルオブジェクトは、白抜きの矢印で構成されており、矢印の向きが合成差分ベクトルの方向を表し、矢印の大きさが合成差分ベクトルの大きさを表している。本実施の形態においては、合成差分ベクトルの大きさは５つ設定されており、各合成差分ベクトルオブジェクトの大きさについて合成差分ベクトルの大きさの範囲が設定されている。
【００５９】
ステップＳ１２において、ステップＳ８で作成した図面の元となるデータを表示部１２に送信し、参考ペダル作用力と計測ペダル作用力との比較やペダリング改善案内等の情報を表示（報知）する情報表示処理を行う。
【００６０】
ステップＳ１３において、計測終了条件が成立し、計測を終了することができることか否かを判定する。本実施の形態においては、計測終了のためのボタン操作を示す信号が送信されてくることが計測終了条件の成立となる。本ステップにおいて、計測終了条件が成立していないと判定すると、ステップＳ４に処理を移し、計測終了条件が成立したと判定すると当該メイン処理を終了する。
【００６１】
以上のように、ペダリング矯正補助装置によって、参考ペダル作用力及び計測ペダル作用力が表示され、参考ペダル作用力と計測ペダル作用力との関係が示されることで、運転者は参考ペダル作用力と計測ペダル作用力との相違点を理解し、ペダルへの荷重のかけ方、すなわち、ペダル作用力に関するペダリングを矯正することができる。また、クランク回転角度を算出し、クランク回転角度に対応付けて参考ペダル作用力と計測ペダル作用力との関係を表示することで、自分のペダル作用力に関するペダリングを一層正確に把握することができる。これは、クランクの回転とペダル作用力を発生させる足の運動とが連動・同期しているからである。さらに、参考ペダル作用力の大きさと計測ペダル作用力の大きさとの差の絶対値が所定の基準値以上の場合に参考ペダル作用力と計測ペダル作用力との関係が報知される。すなわち、ペダル作用力に関するペダリングが良くない場合に、その関係が報知される。このように、報知内容を必要最低限に抑えることで、情報を整理する手間が省け、ペダリングの矯正が容易になる。
【００６２】
また、ベクトルである参考ペダル作用力と計測ペダル作用力との差分の合成からなる合成差分ベクトルを報知することによって、ペダリングの矯正が案内されるので、容易に且つ正確にペダリングを矯正することができる。さらに、クランクの１回転をペダリングの構成要素（パワーゾーン、引き足、蹴り出し）に関連付けて複数の分割し、分割された所定の範囲毎に合成差分ベクトルを報知することで、さらに正確にペダリングを構成することができる。また、参考ペダル作用力と計測ペダル作用力との関係を、表示装置を用いて図形で表現することにより、ペダリング状態の把握が容易となる。
【００６３】
なお、サイクルコンピュータ１、クランク回転角度検出センサ２、回転方向成分検出センサ３及び放射方向成分検出センサ４が本発明のペダリング矯正補助装置を構成する。また、回転方向成分検出センサ３及び放射方向成分検出センサ４とペダル作用力回転方向成分情報取得部Ｓ３２及びペダル作用力放射方向成分情報取得部Ｓ３３とが本発明の実測値取得手段を構成し、差分算出部Ｓ４及び表示判定部Ｓ５が本発明の比較手段を構成する。また、図面作成部Ｓ８及び情報表示部Ｓ９が本発明の報知制御手段を構成し、表示部２が本発明の報知実行手段を構成する。さらに、クランク回転角度情報取得部Ｓ３１が本発明のクランク回転角度情報取得手段を構成する。また、差分ベクトル算出部Ｓ６が本発明の差分ベクトル算出手段を構成し、差分ベクトル合成部Ｓ７が本発明の差分ベクトル合成手段を構成する。
【００６４】
（その他の実施の形態）
実施の形態１においては、参考データは参考データテーブルで構成されているが、クランク回転角度とペダル作用力の大きさとの関係を表す所定の計算式で構成されるようにしてもよい。これにより、参考データの精度が高くなるので、ペダリングの矯正を正確に行うことができる。また、ＲＯＭ１３ｂ等の参考情報記憶部が予め記憶するデータ量の増大を抑えることができる。
【００６５】
また、実施の形態１では、参考データテーブルのクランク回転角度は１°間隔で設定されているが、この間隔の幅は限定されず、適宜に設定される。
【００６６】
また、実施の形態１においては、参考データとしての参考データテーブルは１種類であるが、複数種類の参考データテーブルが設定されていてもよい。この場合、例えば、参考データテーブルを自転車Ｂのタイヤのサイズや運転者の体型・性別・年齢・運転技術等のペダル作用力に関わる固有情報に関連付けて、これらの具体的態様の組み合わせに応じて参考データが異なるようにすることもできる。自転車や運転者に固有な性質によって、参考ペダル作用力が異なるので、参考データが正確になることで、ペダリングの矯正を正確に行うことができる。なお、この場合における固有情報は、例えば、ステップＳ１の固有情報処理において入力する。
【００６７】
さらに、参考ペダル作用力は、風向、運転者の姿勢、ギア比、地面の勾配等の走行中に変化し得る外部環境や運転者・自転車の走行状況に応じても異なる。よって、外部環境や運転者・自転車の走行状況を参考データに関連付けて設定し、走行状況を走行中に検出し、検出結果に基づいて参考データを選択することで、参考データが一層正確になり、ペダリングの矯正を一層正確に行うことができる。また、この場合、参考データをＲＡＭ１３ｃ等の記憶手段に記憶・蓄積させると共に、これらのデータに基づいて参考データを修正することも可能である。このように、運転者・自転車に固有の参考データを修正することで参考データの精度が向上し、一層正確にペダリングを矯正することができる。この場合において、運転者にとっても参考データの取得が自動化されるので、ペダリング矯正補助装置１００の操作性の低下を防ぐことができる。
【００６８】
また、実施の形態１では、参考ペダル作用力及び計測ペダル作用力の表示の成否に対する判定の基準対象はペダル作用力の大きさであるペダル作用力値のみであるが、これに限られない。例えば、判定の基準対象は、両ペダル作用力の方向のみや、或いは、ベクトルであるペダル作用力の方向とペダル作用力値との双方と設定することもできる。さらに、参考ペダル作用力及び計測ペダル作用力の表示に係る判定は、クランクＢ３１が１回転する度に行われているが、所定回数回転する毎に１回行う、すなわち、クランクＢ３１が所定回数回転したら表示内容を更新するようにすることもできる。あるいは、この判定を所定時間に１回行うようにすることもできる。これにより、制御部１３の負担が軽減される。
【００６９】
また、実施の形態１では、改善案内は、毎回算出されて表示されているが、参考ペダル作用力及び計測ペダル作用力の表示と同様に、所定条件が成立したときに表示するようにすることもできる。例えば、当該クランクの１回転において、上記の参考ペダル作用力及び計測ペダル作用力の表示に係る判定で表示をするという判定結果が所定回数以上の場合に全ゾーンについて表示するようにする。また、ゾーン毎に所定条件の成立判定を行うようにすることができる。さらに、参考ペダル作用力及び計測ペダル作用力の表示と同様に、ペダル作用力値の差分が基準値未満のときは表示しないようにすることもできる。
【００７０】
また、実施の形態１では、ゾーンは３種類設定されているが、ゾーンの種類は限定されず、適宜に設定される。さらに、例えば、ステップＳ１の情報入力処理においてゾーンを選択できるようにすることもできる。この場合、得意なゾーンと不得意なゾーンとが異なり、不得意なゾーンのみを表示したいと要望に対応することができる。また、実施の形態１では、ゾーンの範囲は固定されているが、変化するようにすることもできる。例えば、パワーゾーン、引き足ゾーン、蹴り出しゾーン等の範囲は地面の勾配により変化するので、ゾーンの範囲を地面の勾配に関連付け、地面の勾配を検出する。これにより、改善案内の精度が向上し、ペダリングの矯正を一層正確に行うことができる。
【００７１】
また、実施の形態１においては、目標データがＲＯＭ１３ｂに予め記憶されているが、目標データは、例えばＳＤカード等のペダリング矯正補助装置１００に適応した記憶媒体に記憶され、記憶媒体用Ｉ／Ｆ１３を介して取得されるようにしてもよい。また、ステップＳ１の情報入力処理において、ユーザＩＤを入力することにより、サーバ等で記憶されている目標データや運転者等の固有の情報が、通信用Ｉ／Ｆ１３を介して取得されるようにしてもよい。
【００７２】
さらに、ペダル作用力の理想と現実の比較及びペダリングの改善案内の表示態様は実施の形態１に限られない。例えば、合成差分ベクトルの大きさを合成差分ベクトルオブジェクトの色や形状で分類することもできる。
【００７３】
また、実施の形態１では、両足に係るペダル作用力の理想と現実の比較及びペダリングの改善案内の表示を行っているが、いずれか一方の足についてのみを行うこともできる。さらには、例えばステップＳ１の情報入力処理において、どの足についてペダル踏力の理想と現実の比較及びペダリングの改善案内を表示するのかを選択するようにしてもよい。また、ステップＳ１の情報入力処理において表示内容も選択可能にすることもできる。
【００７４】
また、実施の形態１では、サイクルコンピュータ１によってペダル作用力の理想と現実及びペダリングの改善情報が表示されているが、携帯電話等の移動端末のアプリケーションソフトウェアによってペダル作用力の理想と現実及びペダリングの改善情報を判断して表示するようにすることもできる。この場合、移動端末は自転車Ｂに設置しても、運転者が携帯するようにしてもよい。また、ステップＳ５〜ステップＳ１２は、自宅等に設置されたＰＣ等の固定端末で実行されるようにしてもよい。この場合、クランク回転角度データ、ペダル作用力回転方向成分データ及びペダル作用力放射方向成分データ等の必要なデータは、例えば、サイクルコンピュータ１の記憶媒体用Ｉ／Ｆ１３ｄを介してメモリカード等の記録媒体に保存して、記録媒体から固定端末に取り込む。また、サイクルコンピュータ１の通信用Ｉ／Ｆ１３ｆを介して固定端末に送信して、固定端末に取り込む。
【００７５】
なお、固定端末で、ステップＳ５〜ステップＳ１２を実行する場合、これらの処理を行うためのプログラムが記憶されたＣＤ等の記憶媒体を固定端末に読み込んでも、これらの処理を行うためのプログラムが組み込まれたアプリケーションをサーバからダウンロードしてもよい。また、ステップＳ５〜ステップＳ１２は移動端末や固定端末を介してサーバ上で実行されるようにしてもよい。
【００７６】
また、本発明のペダリング矯正補助装置手段は路上を走行する自転車以外に、スポーツジム等に設置されるトレーニング用の走行不能なエクササイズバイク、又は、人力でペダルを漕いで推進する船（例えば、スワンボート）等のペダルに連結されたクランクを回転させる乗り物に適用することができる。
【００７７】
また、実施の形態１においては、本発明の報知実行手段が液晶表示装置で構成されているが、報知実行手段はこれに限られない。例えば、ＣＲＴ、プラズマディスプレイ、有機ＥＬディスプレイ等の他の表示装置でもよい。また、報知実行手段は、表示装置ではなく、スピーカー等の音響装置やライト等の照明装置でもよい。
【００７８】
また、実施の形態１においては、クランクＢ３１の１回転が分割され、それぞれのゾーン毎に合成ベクトルが表示されるが、ゾーン毎に表示される情報は合成ベクトルに限られない。各ゾーン内で最大の大きさをもつ差分ベクトルを表示してもよい。
【符号の説明】
【００７９】
１        サイクルコンピュータ
２        クランク回転角度検出センサ
３        回転方向成分検出センサ
４        放射方向成分検出センサ
６        取付部材
１１      入力部
１１ａ    ボタン
１１ｂ    ボタン
１１ｃ    ボタン
１１ｄ    電源スイッチ
１１ｅ    入力制御回路
１２      表示部
１２ａ    液晶パネル
１２ｅ    表示制御回路
１３      制御部
１３ａ    ＣＰＵ
１３ｂ    ＲＯＭ
１３ｃ    ＲＡＭ
１３ｄ    記録媒体用Ｉ／Ｆ
１３ｅ    センサ用Ｉ／Ｆ
１３ｆ    通信用Ｉ／Ｆ
１３ｇ    発振回路
１３ｈ    バス
１４      筐体
１００    ペダリング矯正補助装置
Ｂ        自転車
Ｂ１      フレーム
Ｂ２      車輪
Ｂ２１    前輪
Ｂ２２    後輪
Ｂ３      駆動機構
Ｂ３１    クランク
Ｂ３１１  左クランクシャフト
Ｂ３１２  右クランクシャフト
Ｂ３２    ペダル
Ｂ３２１  左ペダル
Ｂ３２２  右ペダル
Ｂ３３    チェーン
Ｓ１      固有情報取得部
Ｓ２      参考情報取得部
Ｓ３      走行状況情報取得部
Ｓ３１    クランク回転角度情報取得部
Ｓ３２    ペダル作用力回転方向成分情報取得部
Ｓ３３    ペダル作用力放射方向成分情報取得部
Ｓ４      差分算出部
Ｓ５      表示判定部
Ｓ６      差分ベクトル算出部
Ｓ７      差分ベクトル合成部
Ｓ８      図面作成部
Ｓ９      情報表示部
【図１】
2012056510.tif 000003
【図２】
2012056510.tif 000004
【図３】
2012056510.tif 000005
【図４】
2012056510.tif 000006
【図５】
2012056510.tif 000007
【図６】
2012056510.tif 000008
【図７】
2012056510.tif 000009
【図８】
2012056510.tif 000010
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段と、
前記ペダルに作用する力であるペダル作用力を表すベクトルを前記クランクの回転角度に対応付けて実測値として取得する実測値取得手段と、
予め設定されたペダル作用力を表すベクトルを前記クランクの回転角度に対応付けて参考データとして記憶する参考データ記憶手段と、
前記クランクの回転角度に対応付けて、前記実測値に係るベクトルと、前記参考データに係るベクトルとの差分である差分ベクトルを算出する差分ベクトル算出手段と、
前記クランクの回転角度の所定の範囲における前記差分ベクトルを合成する差分ベクトル合成手段と、
報知実行手段に、前記差分ベクトル合成手段により合成された前記差分ベクトルと、その差分ベクトルに係る前記クランクの回転角度の所定の範囲とを対応付けて報知させる報知制御手段と、を有することを特徴とするペダリング矯正補助装置。
【請求項２】
前記クランクの回転角度に関連付けて前記参考データと前記実測値とを比較する比較手段を有し、
前記報知制御手段は、前記比較手段による比較結果に基づいて、前記クランクの回転角度に対応付けて前記参考データと前記実測値との関係を前記報知実行手段に報知させることを特徴とする請求項１に記載のペダリング矯正補助装置。
【請求項３】
前記比較手段は、前記参考データと前記実測値との差分を算出し、
前記報知制御手段は、前記差分が所定の基準値以上である場合に、前記参考データと前記実測値との関係を前記報知実行手段に報知させることを特徴とする請求項２に記載のペダリング矯正補助装置。
【請求項４】
（削除）
【請求項５】
前記報知制御手段は、前記クランクの回転角度の所定の範囲における前記参考データと前記実測値との関係を前記報知実行手段に報知させることを特徴とする請求項３に記載のペダリング矯正補助装置。
【請求項６】
（削除）
【請求項７】
前記報知実行手段は、表示装置を含み、
前記報知制御手段は、前記表示装置に、
前記ペダルの回転軌道を円周で表示させ、
前記クランクの回転角度の所定の範囲を、前記円周と前記円周の中心から前記円周上の点を結ぶ２本の直線とで囲まれた部分で表示させ、
前記囲まれた部分に、当該囲まれた部分に対応する前記クランクの回転角度の所定の範囲に係る前記合成差分ベクトルを表す画像を表示させることを特徴とする請求項１乃至５のいずれか１つに記載のペダリング矯正補助装置。
【請求項８】
車体に回転自在に連結されたクランクと、当該クランクに連結されたペダルとを具備し、前記ペダルに荷重がかかることによって前記クランクが回転する乗り物のペダリングの際に、前記クランクの回転角度を検出し、
前記ペダルに作用する力であるペダル作用力を表すベクトルを前記クランクの回転角度に対応付けて実測値として取得し、
前記クランクの回転角度に対応付けて予め設定されているペダル作用力を表す参考データとしてのベクトルと、前記実測値に係るベクトルとの差分である差分ベクトルを算出し、
前記クランクの回転角度の所定の範囲における前記差分ベクトルを合成し、
前記合成された前記差分ベクトルと、その差分ベクトルに係る前記クランクの回転角度の所定の範囲とを対応付けて報知実行手段において報知することを特徴とするペダリング矯正補助方法。
【請求項９】
コンピュータに、
車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段に前記クランクの回転角度を検出させるクランク回転角度取得機能と、
前記ペダルに作用する力であるペダル作用力を表すベクトルを前記クランクの回転角度に対応付けて実測値として取得する実測値取得機能と、
前記クランクの回転角度に対応付けて予め設定されたペダル作用力を表す参考データとしてのベクトルと前記実測値に係るベクトルとの差分である差分ベクトルを算出する差分ベクトル算出機能と、
前記クランクの回転角度の所定の範囲における前記差分ベクトルを合成する差分ベクトル合成機能と、
報知実行手段に、前記差分ベクトル合成機能により合成された前記差分ベクトルと、その差分ベクトルに係る前記クランクの回転角度の所定の範囲とを対応付けて報知させる報知制御機能と、を実現させるためのプログラム。
【請求項１０】
コンピュータに、
車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段に前記クランクの回転角度を検出させるクランク回転角度取得機能と、
前記ペダルに作用する力であるペダル作用力を表すベクトルを前記クランクの回転角度に対応付けて実測値として取得する実測値取得機能と、
前記クランクの回転角度に対応付けて予め設定されたペダル作用力を表す参考データとしてのベクトルと前記実測値に係るベクトルとの差分である差分ベクトルを算出する差分ベクトル算出機能と、
前記クランクの回転角度の所定の範囲における前記差分ベクトルを合成する差分ベクトル合成機能と、
報知実行手段に、前記差分ベクトル合成機能により合成された前記差分ベクトルと、その差分ベクトルに係る前記クランクの回転角度の所定の範囲とを対応付けて報知させる報知制御機能と、を実現させるためのプログラムを記録した媒体。
【手続補正２】
【補正対象書類名】明細書
【補正対象項目名】０００２
【補正方法】変更
【補正の内容】
【０００２】
［０００４］
ところで、自転車を効率的に走行させるために、運転者自身のペダリング（特に、クランクを回転させる際のペダルへの荷重のかけ方）を矯正したいという要望がある。特許文献１に記載の走行状態検出装置は、ペダル作用力に基づく圧力値の変化が時系列で表示するため、これを用いて自身のペダリングを知るための一つの指標を提示することができる。しかしながら、例えばペダルを踏み込む際に発生するペダル作用力とこのペダル作用力がかかる方向やタイミングとの関係等のペダル作用力に関するペダリングを矯正するための指標を提示することができない。また、特許文献２に記載の自転車用メータは、最適なクランク軸回転数等からなる最適ペダリング頻度を演算して表示するが、ペダル作用力に関するペダリングを矯正するための指標を提示することができない。
［０００５］
本発明は、上述した事情に鑑みてなされたものであり、上述のような問題を解決することを課題の一例とするものであり、これらの課題を解決することができるペダリング矯正補助装置、ペダリング矯正補助方法、ペダリングの矯正を補助させるプログラム、及び、ペダリングの矯正を補助させるプログラムを記録した媒体を提供することを目的とする。
課題を解決するための手段
［０００６］
上記課題を解決するために、本発明に係るペダリング矯正補助装置は、車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段と、前記ペダルに作用する力であるペダル作用力を表すベクトルを前記クランクの回転角度に対応付けて実測値として取得する実測値取得手段と、予め設定されたペダル作用力を表すベクトルを前記クランクの回転角度に対応付けて参考データとして記憶する参考データ記憶手段と、前記クランクの回転角度に対応付けて、前記実測値に係るベクトルと、前記参考データに係るベクトルとの差分である差分ベクトルを算出する差分ベクトル算出手段と、前記クランクの回転角度の所定の範囲における前記差分ベクトルを合成する差分ベクトル合成手段と、報知実行手段に、前記差分ベクトル合成手段により合成された前記差分ベクトルと、その差分ベクトルに係る前記クランクの回転角度の所定の範囲とを対応付けて報知させる報知制御手段と、を有することを特徴とする。
【手続補正３】
【補正対象書類名】明細書
【補正対象項目名】０００３
【補正方法】変更
【補正の内容】
【０００３】
また、上記課題を解決するために、本発明に係るペダリング矯正補助方法は、車体に回転自在に連結されたクランクと、当該クランクに連結されたペダルとを具備し、前記ペダルに荷重がかかることによって前記クランクが回転する乗り物のペダリングの際に、前記クランクの回転角度を検出し、前記ペダルに作用する力であるペダル作用力を表すベクトルを前記クランクの回転角度に対応付けて実測値として取得し、前記クランクの回転角度に対応付けて予め設定されているペダル作用力を表す参考データとしてのベクトルと、前記実測値に係るベクトルとの差分である差分ベクトルを算出し、前記クランクの回転角度の所定の範囲における前記差分ベクトルを合成し、前記合成された前記差分ベクトルと、その差分ベクトルに係る前記クランクの回転角度の所定の範囲とを対応付けて報知実行手段において報知することを特徴とする。
また、上記課題を解決するために、本発明に係るプログラム及びプログラムを記録した媒体は、コンピュータに、車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段に前記クランクの回転角度を検出させるクランク回転角度取得機能と、前記ペダルに作用する力であるペダル作用力を表すベクトルを前記クランクの回転角度に対応付けて実測値として取得する実測値取得機能と、前記クランクの回転角度に対応付けて予め設定されたペダル作用力を表す参考データとしてのベクトルと前記実測値に係るベクトルとの差分である差分ベクトルを算出する差分ベクトル算出機能と、前記クランクの回転角度の所定の範囲における前記差分ベクトルを合成する差分ベクトル合成機能と、報知実行手段に、前記差分ベクトル合成機能により合成された前記差分ベクトルと、その差分ベクトルに係る前記クランクの回転角度の所定の範囲とを対応付けて報知させる報知制御機能と、を実現させることを特徴とする。
図面の簡単な説明
［０００７］
［図１］（ａ）は、ペダリング矯正補助装置が取り付けられた自転車の側面図、（ｂ）はペダリング矯正補助装置が取り付けられた自転車の正面図である。
［図２］図１のペダル作用力回転方向成分検出センサ及び放射方向成分検出センサの取り付け状況を表す図である。
［図３］（ａ）は回転方向歪みセンサユニットがクランクシャフトに貼り付けられている様子を表す図、（ｂ）は放射方向歪みセンサユニットがクランクシャフトに貼り付けられている様子を表す図である。
［図４］ペダリング矯正補助装置のサイクルコンピュータの斜視図である。
［図５］ペダリング矯正補助装置の電気的なブロック図である。
［図６］ペダリング矯正補助装置の制御的なブロック図である。
［図７］ペダリング矯正補助処理を示すフローチャートである。
［図８］計測ペダル作用力と参考ペダル作用力との比較及び改善案内の表示態様の一例である。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段と、
前記ペダルに作用する力であるペダル作用力を表すベクトルを前記クランクの回転角度に対応付けて実測値として取得する実測値取得手段と、
予め設定されたペダル作用力を表すベクトルを前記クランクの回転角度に対応付けて参考データとして記憶する参考データ記憶手段と、
前記クランクの回転角度に対応付けて、前記実測値に係るベクトルと、前記参考データに係るベクトルとの差分である差分ベクトルを算出する差分ベクトル算出手段と、
前記クランクの回転角度の所定の範囲における前記差分ベクトルを合成する差分ベクトル合成手段と、
報知実行手段に、前記差分ベクトル合成手段により合成された前記差分ベクトルと、その差分ベクトルに係る前記クランクの回転角度の所定の範囲とを対応付けて報知させる報知制御手段と、を有することを特徴とするペダリング矯正補助装置。
【請求項２】
前記クランクの回転角度に関連付けて前記参考データと前記実測値とを比較する比較手段を有し、
前記報知制御手段は、前記比較手段による比較結果に基づいて、前記クランクの回転角度に対応付けて前記参考データと前記実測値との関係を前記報知実行手段に報知させることを特徴とする請求項１に記載のペダリング矯正補助装置。
【請求項３】
前記比較手段は、前記参考データと前記実測値との差分を算出し、
前記報知制御手段は、前記差分が所定の基準値以上である場合に、前記参考データと前記実測値との関係を前記報知実行手段に報知させることを特徴とする請求項２に記載のペダリング矯正補助装置。
【請求項４】
前記報知制御手段は、前記クランクの回転角度の所定の範囲における前記参考データと前記実測値との関係を前記報知実行手段に報知させることを特徴とする請求項３に記載のペダリング矯正補助装置。
【請求項５】
前記報知実行手段は、表示装置を含み、
前記報知制御手段は、前記表示装置に、
前記ペダルの回転軌道を円周で表示させ、
前記クランクの回転角度の所定の範囲を、前記円周と前記円周の中心から前記円周上の点を結ぶ２本の直線とで囲まれた部分で表示させ、
前記囲まれた部分に、当該囲まれた部分に対応する前記クランクの回転角度の所定の範囲に係る前記合成差分ベクトルを表す画像を表示させることを特徴とする請求項１乃至４のいずれか１つに記載のペダリング矯正補助装置。
【請求項６】
車体に回転自在に連結されたクランクと、当該クランクに連結されたペダルとを具備し、前記ペダルに荷重がかかることによって前記クランクが回転する乗り物のペダリングの際に、前記クランクの回転角度を検出し、
前記ペダルに作用する力であるペダル作用力を表すベクトルを前記クランクの回転角度に対応付けて実測値として取得し、
前記クランクの回転角度に対応付けて予め設定されているペダル作用力を表す参考データとしてのベクトルと、前記実測値に係るベクトルとの差分である差分ベクトルを算出し、
前記クランクの回転角度の所定の範囲における前記差分ベクトルを合成し、
前記合成された前記差分ベクトルと、その差分ベクトルに係る前記クランクの回転角度の所定の範囲とを対応付けて報知実行手段において報知することを特徴とするペダリング矯正補助方法。
【請求項７】
コンピュータに、
車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段に前記クランクの回転角度を検出させるクランク回転角度取得機能と、
前記ペダルに作用する力であるペダル作用力を表すベクトルを前記クランクの回転角度に対応付けて実測値として取得する実測値取得機能と、
前記クランクの回転角度に対応付けて予め設定されたペダル作用力を表す参考データとしてのベクトルと前記実測値に係るベクトルとの差分である差分ベクトルを算出する差分ベクトル算出機能と、
前記クランクの回転角度の所定の範囲における前記差分ベクトルを合成する差分ベクトル合成機能と、
報知実行手段に、前記差分ベクトル合成機能により合成された前記差分ベクトルと、その差分ベクトルに係る前記クランクの回転角度の所定の範囲とを対応付けて報知させる報知制御機能と、を実現させるためのプログラム。
【請求項８】
コンピュータに、
車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段に前記クランクの回転角度を検出させるクランク回転角度取得機能と、
前記ペダルに作用する力であるペダル作用力を表すベクトルを前記クランクの回転角度に対応付けて実測値として取得する実測値取得機能と、
前記クランクの回転角度に対応付けて予め設定されたペダル作用力を表す参考データとしてのベクトルと前記実測値に係るベクトルとの差分である差分ベクトルを算出する差分ベクトル算出機能と、
前記クランクの回転角度の所定の範囲における前記差分ベクトルを合成する差分ベクトル合成機能と、
報知実行手段に、前記差分ベクトル合成機能により合成された前記差分ベクトルと、その差分ベクトルに係る前記クランクの回転角度の所定の範囲とを対応付けて報知させる報知制御機能と、を実現させるためのプログラムを記録した媒体。
【手続補正２】
【補正対象書類名】明細書
【補正対象項目名】０００６
【補正方法】変更
【補正の内容】
【０００６】
上記課題を解決するために、本発明に係るペダリング矯正補助装置は、車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段と、前記ペダルに作用する力であるペダル作用力を表すベクトルを前記クランクの回転角度に対応付けて実測値として取得する実測値取得手段と、予め設定されたペダル作用力を表すベクトルを前記クランクの回転角度に対応付けて参考データとして記憶する参考データ記憶手段と、前記クランクの回転角度に対応付けて、前記実測値に係るベクトルと、前記参考データに係るベクトルとの差分である差分ベクトルを算出する差分ベクトル算出手段と、前記クランクの回転角度の所定の範囲における前記差分ベクトルを合成する差分ベクトル合成手段と、報知実行手段に、前記差分ベクトル合成手段により合成された前記差分ベクトルと、その差分ベクトルに係る前記クランクの回転角度の所定の範囲とを対応付けて報知させる報知制御手段と、を有することを特徴とする。
また、上記課題を解決するために、本発明に係るペダリング矯正補助方法は、車体に回転自在に連結されたクランクと、当該クランクに連結されたペダルとを具備し、前記ペダルに荷重がかかることによって前記クランクが回転する乗り物のペダリングの際に、前記クランクの回転角度を検出し、前記ペダルに作用する力であるペダル作用力を表すベクトルを前記クランクの回転角度に対応付けて実測値として取得し、前記クランクの回転角度に対応付けて予め設定されているペダル作用力を表す参考データとしてのベクトルと、前記実測値に係るベクトルとの差分である差分ベクトルを算出し、前記クランクの回転角度の所定の範囲における前記差分ベクトルを合成し、前記合成された前記差分ベクトルと、その差分ベクトルに係る前記クランクの回転角度の所定の範囲とを対応付けて報知実行手段において報知することを特徴とする。
また、上記課題を解決するために、本発明に係るプログラム及びプログラムを記録した媒体は、コンピュータに、車体に回転自在に連結されたクランクと、当該クランクに連結されたペダルとを具備し、前記ペダルに荷重がかかることによって前記クランクが回転する乗り物のペダリングの際に、前記クランクの回転角度を検出するクランク回転角度検出手段に前記クランクの回転角度を検出させるクランク回転角度取得機能と、前記ペダルに作用する力であるペダル作用力を表すベクトルを前記クランクの回転角度に対応付けて実測値として取得する実測値取得機能と、前記クランクの回転角度に対応付けて予め設定されたペダル作用力を表す参考データとしてのベクトルと前記実測値に係るベクトルとの差分である差分ベクトルを算出する差分ベクトル算出機能と、前記クランクの回転角度の所定の範囲における前記差分ベクトルを合成する差分ベクトル合成機能と、報知実行手段に、前記差分ベクトル合成機能により合成された前記差分ベクトルと、その差分ベクトルに係る前記クランクの回転角度の所定の範囲とを対応付けて報知させる報知制御機能と、を実現させることを特徴とする。
【国際調査報告】
2012056510.tif 000011
2012056510.tif 000012
2012056510.tif 000013
2012056510.tif 000014